(57)【要約】【課題】浴室の外側から座位の姿勢で浴室内に移動できるとともに、入浴者又は介護者が浴室の扉を容易に開閉できるようにした座位入浴台を提供すること。【解決手段】浴室内側に設置される内側座位入浴台１と、この内側座位入浴台１と浴室の扉枠Ｆを挟んで浴室外側に設置される外側座位入浴台２と、内側座位入浴台１と外側座位入浴台２の隙間に配置される連接台３とからなり、この連接台３を外側座位入浴台２の側に移動可能に配設することにより、浴室の扉Ｄを閉鎖できるようにする。【選択図】図１
2008079729.tif 000002
【特許請求の範囲】
【請求項１】
浴室内側に設置される内側座位入浴台と、該内側座位入浴台と浴室の扉枠を挟んで浴室外側に設置される外側座位入浴台と、内側座位入浴台と外側座位入浴台の隙間に配置される連接台とからなり、該連接台を内側座位入浴台又は外側座位入浴台のいずれかの側に移動可能に配設することにより、浴室の扉を閉鎖できるようにしたことを特徴とする座位入浴台。
【請求項２】
内側座位入浴台、連接台及び外側座位入浴台の座面に段差が生じないようにしたことを特徴とする請求項１記載の座位入浴台。
【発明の詳細な説明】
【技術分野】
【０００１】
本発明は、身障者や高齢者等の要介護者が座位入浴の際に用いる座位入浴台に関し、特に、浴室の外側から座位の姿勢で浴室内に移動できるとともに、入浴者又は介護者が浴室の扉を容易に開閉できるようにした座位入浴台に関するものである。
【背景技術】
【０００２】
従来、身障者や高齢者等の要介護者が介護者の助けを借りずに一人で入浴できるようにするための方法として、要介護者の入浴者が座ったままで浴槽に出入りするようにする座位入浴方法があり、その際に用いる入浴補助装置として、図８に示すような座位入浴台Ｃが提案されている。
【０００３】
この座位入浴台Ｃは、座面を浴槽Ｂの縁の高さと同じ高さに設定し、入浴者Ｍが座ったままで浴槽Ｂに出入りすることができるようにするものであり、これにより、入浴者Ｍは、介護者の助けを借りずに一人で入浴することができる。
【０００４】
しかしながら、従来のこの種の座位入浴台Ｃは、専ら浴室内での入浴者の移動を補助することを目的とするものに限られ、浴室の外側から浴室内への入浴者の移動を補助するものはなかった。
【発明の開示】
【発明が解決しようとする課題】
【０００５】
本発明は、上記従来の入浴補助装置の有する問題点に鑑み、浴室の外側から座位の姿勢で浴室内に移動できるとともに、入浴者又は介護者が浴室の扉を容易に開閉できるようにした座位入浴台を提供することを目的とする。
【課題を解決するための手段】
【０００６】
上記目的を達成するため、本発明の座位入浴台は、浴室内側に設置される内側座位入浴台と、該内側座位入浴台と浴室の扉枠を挟んで浴室外側に設置される外側座位入浴台と、内側座位入浴台と外側座位入浴台の隙間に配置される連接台とからなり、該連接台を内側座位入浴台又は外側座位入浴台のいずれかの側に移動可能に配設することにより、浴室の扉を閉鎖できるようにしたことを特徴とする。
【０００７】
この場合において、内側座位入浴台、連接台及び外側座位入浴台の座面に段差が生じないようにすることができる。
【発明の効果】
【０００８】
本発明の座位入浴台によれば、浴室内側に設置される内側座位入浴台と、該内側座位入浴台と浴室の扉枠を挟んで浴室外側に設置される外側座位入浴台と、内側座位入浴台と外側座位入浴台の隙間に配置される連接台とからなり、該連接台を内側座位入浴台又は外側座位入浴台のいずれかの側に移動可能に配設することにより、浴室の扉を閉鎖できるようにすることにより、入浴者は、浴室外から座位の姿勢で浴室内に移動し、座ったままで浴槽に出入りし、その後、浴室内から座位の姿勢で浴室外に移動することができるとともに、入浴中は連接台を内側座位入浴台又は外側座位入浴台のいずれかの側に移動することにより、浴室の扉枠面を開放し、入浴者又は介護者が浴室の扉を容易に開閉することができる。
【０００９】
また、内側座位入浴台、連接台及び外側座位入浴台の座面に段差が生じないようにすることにより、入浴者は、内側座位入浴台、連接台及び外側座位入浴台間での移動を円滑に行うことができる。
【発明を実施するための最良の形態】
【００１０】
以下、本発明の座位入浴台の実施の形態を、図面に基づいて説明する。
【実施例１】
【００１１】
図１〜図３に、本発明の座位入浴台の第１実施例を示す。
この座位入浴台は、浴室内側に設置される内側座位入浴台１と、この内側座位入浴台１と浴室の扉枠Ｆを挟んで浴室外側に設置される脱衣台を兼ねた外側座位入浴台２と、内側座位入浴台１と外側座位入浴台２の隙間に配置される連接台３とからなり、この連接台３を内側座位入浴台１又は外側座位入浴台２のいずれかの側（本実施例においては、外側座位入浴台２の側）に移動可能に配設することにより、浴室の扉Ｄを閉鎖できるようにしている。
そして、内側座位入浴台１は、少なくとも、浴槽Ｂの縁に接するように設置するようにするが、必要に応じて、浴槽Ｂを除く全スペースに敷き詰めるように設置することにより、浴室床面の全体をフラット化することができる。
【００１２】
この場合において、特に限定されるものではないが、内側座位入浴台１、外側座位入浴台２及び連接台３は、金属製、合成樹脂製又はＦＲＰ等の複合材料製のパイプ部材とその連結具とから構成される。
そして、パイプ部材及び連結具には、防食性の材料を用いるほか、必要に応じて、メッキや被覆等による防錆処理を施すようにする。
【００１３】
内側座位入浴台１、外側座位入浴台２及び連接台３の上面には、クッション性及び耐水性を有する座面１１、２１、３１を設けるようにする。
そして、内側座位入浴台１、連接台３及び外側座位入浴台２の座面１１、３１、２１に段差が生じないように、好ましくは、座面１１、３１、２１が略水平になるように（傾斜を設ける場合は、緩い傾斜となるように）、内側座位入浴台１及び外側座位入浴台２の高さを調節するようにする。
なお、内側座位入浴台１及び外側座位入浴台２の高さの調節（他の部材に関しても同様）は、内側座位入浴台１及び外側座位入浴台２を構成するパイプ部材の長さの設定によるほか、高さ調節機能（アジャスタ機能）を有する接地部材を用いたり、２本のパイプ部材を連結具を介して高さ（長さ）調節可能に連結することによっても行うことができる。
このように、内側座位入浴台１、連接台３及び外側座位入浴台２の座面１１、３１、２１に段差が生じないようにすることにより、入浴者Ｍは、内側座位入浴台１、連接台３及び外側座位入浴台２間での移動を円滑に行うことができる。
この場合、内側座位入浴台１の座面１１は、浴槽Ｂの縁の高さと同じ高さに設定し、入浴者Ｍが座ったままで浴槽Ｂに出入りすることができるようにする。
【００１４】
連接台３の大きさは、内側座位入浴台１と外側座位入浴台２の隙間の大きさに対応して、内側座位入浴台１、連接台３及び外側座位入浴台２の間に大きな隙間が生じないように設定するようにする。
この場合、本実施例のように、浴室の扉Ｄが引き戸方式の場合には、扉枠Ｆの寸法を考慮に入れて内側座位入浴台１と外側座位入浴台２の隙間を小さく設定でき、一方、折り戸方式の場合には、折り畳まれる扉の寸法も考慮に入れて内側座位入浴台１と外側座位入浴台２の隙間を大きく設定するようにする。
【００１５】
そして、本実施例において、連接台３は、外側座位入浴台２に揺動杆３２を介して接続するようにし、内側座位入浴台１と外側座位入浴台２の隙間に配置する場合、内側座位入浴台１及び外側座位入浴台２の支持脚１２、２２上に支持されるようにする。
また、連接台３には、操作部３３を設け、図２に示すように、この操作部３３を持って、連接台３を外側座位入浴台２の側に移動して、浴室の扉枠面を開放できるようにしている。
また、連接台３の端部には、内側座位入浴台１の支持脚１２に対する鉤状の掛け部３４を形成し、内側座位入浴台１と連接台３（外側座位入浴台２）の一体性が確保されるようにしている。
【００１６】
この座位入浴台は、例えば、車椅子Ｗに乗った入浴者Ｍが、外側座位入浴台２、連接台３及び内側座位入浴台１の座面２１，３１、１１に沿って、浴室外から座位の姿勢で浴室内に移動し、座ったままで浴槽に出入りし、その後、浴室内から座位の姿勢で浴室外に移動することができるとともに、入浴中は連接台３を内側座位入浴台１又は外側座位入浴台２のいずれかの側（本実施例においては、外側座位入浴台２の側）に移動することにより、浴室の扉枠面を開放し、入浴者又は介護者が浴室の扉Ｄを容易に開閉することができる。
【実施例２】
【００１７】
図４〜図５に、本発明の座位入浴台の第２実施例を示す。
この座位入浴台は、浴室内側に設置される内側座位入浴台１と、この内側座位入浴台１と浴室の扉枠Ｆを挟んで浴室外側に設置される脱衣台を兼ねた外側座位入浴台２と、内側座位入浴台１と外側座位入浴台２の隙間に配置される連接台３とからなり、この連接台３を内側座位入浴台１又は外側座位入浴台２のいずれかの側（本実施例においては、内側座位入浴台１の側）に移動可能に配設することにより、浴室の扉Ｄを閉鎖できるようにしている。
【００１８】
そして、本実施例において、連接台３は、内側座位入浴台１に揺動杆３２及び枢着部３５を介して揺動可能に配設するようにし、内側座位入浴台１と外側座位入浴台２の隙間に配置する場合、内側座位入浴台１側に設けた操作部３３を介して外側座位入浴台２に支持されるようにする。
ここで、揺動杆３２は、中間位置で折曲可能に構成し、連接台３を内側座位入浴台１と外側座位入浴台２の隙間に配置するとき、直線状になって、連接台３の先端部（枢着部３５の反対側）を支持するようにする。
なお、揺動杆３２には、その状態を安定させるためのばね部材３２ａを配設している。
また、操作部３３は、操作杆３３ａによって操作される係止杆３３ｂを備え、この係止杆３３ｂの先端部を外側座位入浴台２に掛止するようにする。
この操作部３３は、図５に示すように、操作部３３の操作杆３３ａを引き上げて係止杆３３ｂによる外側座位入浴台２との掛止を解除するとともに、図において右回転させることによって直線状になっている揺動杆３２を折り曲げることにより、連接台３を枢着部３５を介して揺動させて内側座位入浴台１の側に移動して、浴室の扉枠面を開放できるようにしている。
なお、本実施例の座位入浴台のその他の構成及び作用は、第１実施例の座位入浴台と同様である。
【実施例３】
【００１９】
図６〜図７に、本発明の座位入浴台の第３実施例を示す。
この座位入浴台は、浴室内側に設置される内側座位入浴台１と、この内側座位入浴台１と浴室の扉枠Ｆを挟んで浴室外側に設置される脱衣台を兼ねた外側座位入浴台２と、内側座位入浴台１と外側座位入浴台２の隙間に配置される連接台３とからなり、この連接台３を内側座位入浴台１又は外側座位入浴台２のいずれかの側（本実施例においては、内側座位入浴台１の側）に移動可能に配設することにより、浴室の扉Ｄを閉鎖できるようにしている。
【００２０】
そして、本実施例において、連接台３は、連接台３の座面３１を、内側座位入浴台１の座面１１と共用、一体化するようにし、連接台３（座面３１（座面１１））の一端側を下端に車輪を設けた支持脚３６を介して、他端側を内側座位入浴台１に摺動部材３８を介して、それぞれ支持されるようにする。
ここで、支持脚３６が確実に接地して連接台３を支持できるようにするとともに、扉枠Ｆ上を円滑に乗り越えることができるように、内側座位入浴台１及び外側座位入浴台２（又は床面）に、接地片３７ａ、３７ｂを配設するようにする。
これにより、連接台３は、連接台３（座面３１（座面１１））の一端側を下端に車輪を設けた支持脚３６を介して、他端側を内側座位入浴台１に摺動部材３８を介して、それぞれ支持された状態で、内側座位入浴台１と外側座位入浴台２の隙間に配置したり、図７に示すように、連接台３を内側座位入浴台１の側に移動して、浴室の扉枠面を開放できるようにしている。
なお、本実施例の座位入浴台のその他の構成及び作用は、第１実施例の座位入浴台と同様である。
【００２１】
以上、本発明の座位入浴台について、複数の実施例に基づいて説明したが、本発明は上記実施例に記載した構成に限定されるものではなく、連接台３を内側座位入浴台１又は外側座位入浴台２の逆の側に配設するようにしたり、各実施例に記載した構成を適宜組み合わせる等、その趣旨を逸脱しない範囲において適宜その構成を変更することができるものである。
【産業上の利用可能性】
【００２２】
本発明の座位入浴台は、浴室の外側から座位の姿勢で浴室内に移動できるとともに、入浴者又は介護者が浴室の扉を容易に開閉できることから、身障者や高齢者等の要介護者が介護者の助けを借りずに一人で入浴するための用途に好適に用いることができるほか、例えば、介護者を補助する用途にも用いることができる。
【図面の簡単な説明】
【００２３】
【図１】本発明の座位入浴台の第１実施例を示す説明図である。
【図２】同座位入浴台の連接台の移動状態を示す説明図である。
【図３】同座位入浴台の分解斜視図である。
【図４】本発明の座位入浴台の第２実施例を示す説明図である。
【図５】同座位入浴台の連接台の移動状態を示す説明図である。
【図６】本発明の座位入浴台の第３実施例を示す説明図である。
【図７】同座位入浴台の連接台の移動状態を示す説明図である。
【図８】従来の座位入浴台を示す説明図である。
【符号の説明】
【００２４】
１    内側座位入浴台
１１  座面
１２  支持脚
２    外側座位入浴台
２１  座面
２２  支持脚
３    連接台
３１  座面
３２  揺動杆
３３  操作部
３４  掛け部
３５  枢着部
３６  支持脚
３７ａ  接地片
３７ｂ  接地片
３８  摺動部材
Ｂ    浴槽
Ｄ    扉
Ｆ    扉枠
Ｗ    車椅子
【図１】
2008079729.tif 000003
【図２】
2008079729.tif 000004
【図３】
2008079729.tif 000005
【図４】
2008079729.tif 000006
【図５】
2008079729.tif 000007
【図６】
2008079729.tif 000008
【図７】
2008079729.tif 000009
【図８】
2008079729.tif 000010